(57)【要約】【課題】パワーコンディショナの入力端子数を上回る太陽光パネルを接続可能としつつ、設置工期を短縮化し、コスト上昇を抑制する。【解決手段】複数の太陽光パネル１１のそれぞれに対応して設けられた接続ボックス１３と、太陽光パネル１１と接続ボックス１３とを電気的に接続するパネル接続ケーブル１４と、太陽光パネル１１が発電した直流電力を交流電力に変換するパワーコンディショナ１２と、一方端がパワーコンディショナ１２と電気的に接続された幹線ケーブル１５と、それぞれの接続ボックス１３に対応して幹線ケーブル１５から分岐して設けられて接続ボックス１３と接続され、幹線ケーブル１５と協働して接続ボックス１３とパワーコンディショナ１２とを電気的に接続する分岐線ケーブル１６とを有する太陽光発電システムである。【選択図】図１
2014050227.tif 000002
【特許請求の範囲】
【請求項１】
太陽からの光エネルギーで電気を発生させる複数の太陽光パネルと、
それぞれの前記太陽光パネルに対応して設けられた接続ボックスと、
前記太陽光パネルと当該太陽光パネルに対応した前記接続ボックスとを電気的に接続するパネル接続ケーブルと、
前記太陽光パネルが発電した直流電力を交流電力に変換するパワーコンディショナと、
一方端が前記パワーコンディショナと電気的に接続された幹線ケーブルと、
それぞれの前記接続ボックスに対応して前記幹線ケーブルから分岐して設けられて前記接続ボックスと接続され、前記幹線ケーブルと協働して前記接続ボックスと前記パワーコンディショナとを電気的に接続する分岐線ケーブルと、
を有することを特徴とする太陽光発電システム。
【請求項２】
前記幹線ケーブルの他方端または中間部には、前記幹線ケーブルを把持するとともに造営材に取り付けられた支持手段に支持された把持手段が取り付けられている、
ことを特徴とする請求項１記載の太陽光発電システム。
【請求項３】
前記パネル接続ケーブルは、
前記太陽光パネルのプラス電極の出力端子と前記接続ボックスのプラス電極の入力端子とを電気的に接続するプラス極側パネル接続ケーブルと、
前記太陽光パネルのマイナス電極の出力端子と前記接続ボックスのマイナス電極の入力端子とを電気的に接続するマイナス極側パネル接続ケーブルとで構成され、
前記プラス極側パネル接続ケーブルと前記マイナス極側パネル接続ケーブルとは、相互に撚り合わされているか、または相互に接合されている、
ことを特徴とする請求項１または２記載の太陽光発電システム。
【請求項４】
前記プラス極側パネル接続ケーブルおよび前記マイナス極側パネル接続ケーブルには、
これらのケーブルの心線を被覆したケーブルシースに、前記プラス極側パネル接続ケーブルおよび前記マイナス極側パネル接続ケーブルそれぞれの極性が識別可能な識別標識が設けられている、
ことを特徴とする請求項３記載の太陽光発電システム。
【請求項５】
前記幹線ケーブルおよび前記分岐線ケーブルの少なくとも何れかのケーブルは、
プラス極性の電流が流れるケーブルとマイナス極性の電流が流れるケーブルとで構成され、
これらのケーブルの心線を被覆したケーブルシースには、それぞれのケーブルの極性が識別可能な識別標識が設けられている、
ことを特徴とする請求項１〜４の何れか一項に記載の太陽光発電システム。
【請求項６】
太陽からの光エネルギーで電気を発生させる複数の太陽光パネル、それぞれの前記太陽光パネルに対応した接続ボックス、および前記太陽光パネルが発電した直流電力を交流電力に変換するパワーコンディショナを現場に設置し、
前記太陽光パネルと当該太陽光パネルに対応した前記接続ボックスとを電気的に接続するパネル接続ケーブルを、設置された現場の寸法に合わせた長さにして予め用意しておき、
一方端が前記パワーコンディショナと電気的に接続される幹線ケーブル、およびそれぞれの前記接続ボックスに対応して前記幹線ケーブルから分岐して前記接続ボックスと接続される分岐線ケーブルを、設置された現場の寸法に合わせた長さにして予め用意しておき、
複数の前記太陽光パネル、複数の接続ボックスおよび前記パワーコンディショナの設置された現場において、前記パネル接続ケーブル、前記幹線ケーブルおよび前記分岐線ケーブルを取り付ける、
ことを特徴とする太陽光発電システムの設置方法。
【発明の詳細な説明】
【技術分野】
【０００１】
本発明は、太陽光発電システムおよび太陽光発電システムの設置方法に関し、特に太陽光発電システムを構築する各構成要素の接続に適用して有効な技術に関するものである。
【背景技術】
【０００２】
太陽からの光エネルギーを使い、光起電力効果を応用して電気を発生させる太陽光発電システムは、環境負荷の小さな電力生産が可能であることから、近年急速に注目を集めている。
【０００３】
太陽光発電システムは、太陽光で電気を発生させる太陽光パネルと、太陽光パネルに対応して設けられて当該太陽光パネルが発電した電気の電圧調整を行う接続ボックスと、太陽光パネルが発電した直流電力を交流電力に変換するパワーコンディショナとを備えている。そして、太陽光パネルと接続ボックスとが電気的に接続され、接続ボックスとパワーコンディショナとが電気的に接続されている。
【０００４】
さて、パワーコンディショナには、太陽光パネルが発電した電力が接続ボックスを通して入力される入力端子が備えられている。ここで、接続ボックスを直接入力端子と接続する構造をとった場合には、接続ボックスと対応している太陽光パネルの設置数は、最多でもパワーコンディショナの端子数までという制約を受けることになる。
【０００５】
そこで、太陽光パネルを多数設置して発電を行うメガソーラー発電の太陽光発電システム１１０においては、このような制約をなくすために、図７に示すような構成になっている。
【０００６】
すなわち、太陽光パネル１１１（と太陽光パネル１１１に対応した接続ボックス１１３）をパワーコンディショナ１１２の入力端子数（より詳しくは、プラスの入力端子とマイナスの入力端子の組数）と同数にグループ化し（図示する場合には、パワーコンディショナ１１２の２組の入力端子に合わせて、グループＧ１とグループＧ２の２つにグループ化し）、各グループＧ１，Ｇ２に対して一つずつ集電ボックス１１７を設置する。次に、グループＧ１の接続ボックス１１３とこのグループＧ１に対応した集電ボックス１１７とを接続ケーブル１１８で電気的に接続する。同様にして、グループＧ２の接続ボックス１１３とこのグループＧ２に対応した集電ボックス１１７とを接続ケーブル１１８で電気的に接続する。そして、それぞれのグループＧ１，Ｇ２に対応した集電ボックス１１７とパワーコンディショナ１１２とを接続ケーブル１１９で電気的に接続する。
【０００７】
このように接続ボックス１１３とパワーコンディショナ１１２との間に、接続ボックス１１３を集約する集電ボックス１１７を介在させることにより、パワーコンディショナ１１２の端子数に制約されることなくメガソーラー発電を実現している。
【０００８】
なお、太陽光パネルとパワーコンディショナとの間の接続については、例えば特開２００５−１５８７８９号公報に記載された技術が知られている。
【先行技術文献】
【特許文献】
【０００９】
【特許文献１】特開２００５−１５８７８９号公報
【発明の概要】
【発明が解決しようとする課題】
【００１０】
しかしながら、前述のように集電ボックス１１７を用いた接続では、接続ボックス１１３からパワーコンディショナ１１２に至る経路のケーブル数が多くなるために、ケーブルの取付工数が多くなって太陽光発電システム１１０の設置工期が長くなってしまう。
【００１１】
また、このようにケーブル数が多くなることに加えて、集電ボックス１１７が必要になるために、太陽光発電システム１１０のコストが上昇することになる。
【００１２】
本発明は、上述の技術的背景からなされたものであって、パワーコンディショナの入力端子数を上回る太陽光パネルを接続可能としつつ、設置工期を短縮化できる太陽光発電システムに関する技術を提供することを目的とする。
【００１３】
また、本発明は、パワーコンディショナの入力端子数を上回る太陽光パネルを接続可能としつつ、コストの上昇を抑制することのできる太陽光発電システムに関する技術を提供することを目的とする。
【課題を解決するための手段】
【００１４】
上記課題を解決するため、請求項１に記載の本発明の太陽光発電システムは、太陽からの光エネルギーで電気を発生させる複数の太陽光パネルと、それぞれの前記太陽光パネルに対応して設けられた接続ボックスと、前記太陽光パネルと当該太陽光パネルに対応した前記接続ボックスとを電気的に接続するパネル接続ケーブルと、前記太陽光パネルが発電した直流電力を交流電力に変換するパワーコンディショナと、一方端が前記パワーコンディショナと電気的に接続された幹線ケーブルと、それぞれの前記接続ボックスに対応して前記幹線ケーブルから分岐して設けられて前記接続ボックスと接続され、前記幹線ケーブルと協働して前記接続ボックスと前記パワーコンディショナとを電気的に接続する分岐線ケーブルと、を有することを特徴とする。
【００１５】
請求項２に記載の本発明の太陽光発電システムは、上記請求項１に記載の発明において、前記幹線ケーブルの他方端または中間部には、前記幹線ケーブルを把持するとともに造営材に取り付けられた支持手段に支持された把持手段が取り付けられている、ことを特徴とする。
【００１６】
請求項３に記載の本発明の太陽光発電システムは、上記請求項１または２に記載の発明において、前記パネル接続ケーブルは、前記太陽光パネルのプラス電極の出力端子と前記接続ボックスのプラス電極の入力端子とを電気的に接続するプラス極側パネル接続ケーブルと、前記太陽光パネルのマイナス電極の出力端子と前記接続ボックスのマイナス電極の入力端子とを電気的に接続するマイナス極側パネル接続ケーブルとで構成され、前記プラス極側パネル接続ケーブルと前記マイナス極側パネル接続ケーブルとは、相互に撚り合わされているか、または相互に接合されている、ことを特徴とする。
【００１７】
請求項４に記載の本発明の太陽光発電システムは、上記請求項３に記載の発明において、前記プラス極側パネル接続ケーブルおよび前記マイナス極側パネル接続ケーブルには、これらのケーブルの心線を被覆したケーブルシースに、前記プラス極側パネル接続ケーブルおよび前記マイナス極側パネル接続ケーブルそれぞれの極性が識別可能な識別標識が設けられている、ことを特徴とする。
【００１８】
請求項５に記載の本発明の太陽光発電システムは、上記請求項１〜４の何れか一項に記載の発明において、前記幹線ケーブルおよび前記分岐線ケーブルの少なくとも何れかのケーブルは、プラス極性の電流が流れるケーブルとマイナス極性の電流が流れるケーブルとで構成され、これらのケーブルの心線を被覆したケーブルシースには、それぞれのケーブルの極性が識別可能な識別標識が設けられている、ことを特徴とする。
【００１９】
上記課題を解決するため、請求項６に記載の本発明の太陽光発電システムの設置方法は、太陽からの光エネルギーで電気を発生させる複数の太陽光パネル、それぞれの前記太陽光パネルに対応した接続ボックス、および前記太陽光パネルが発電した直流電力を交流電力に変換するパワーコンディショナを現場に設置し、前記太陽光パネルと当該太陽光パネルに対応した前記接続ボックスとを電気的に接続するパネル接続ケーブルを、設置された現場の寸法に合わせた長さにして予め用意しておき、一方端が前記パワーコンディショナと電気的に接続される幹線ケーブル、およびそれぞれの前記接続ボックスに対応して前記幹線ケーブルから分岐して前記接続ボックスと接続される分岐線ケーブルを、設置された現場の寸法に合わせた長さにして予め用意しておき、複数の前記太陽光パネル、複数の接続ボックスおよび前記パワーコンディショナの設置された現場において、前記パネル接続ケーブル、前記幹線ケーブルおよび前記分岐線ケーブルを取り付ける、ことを特徴とする。
【発明の効果】
【００２０】
本発明によれば、パワーコンディショナを幹線ケーブルと接続し、太陽光パネルに対応した接続ボックスを幹線ケーブルから分岐した分岐線ケーブルと接続しているので、集電ボックスを用いた接続に比較してケーブル数が少なくなることから、パワーコンディショナの入力端子数を上回る太陽光パネルを接続可能としつつ、設置工期を短縮化することが可能になる。
【００２１】
また、本発明によれば、パワーコンディショナを幹線ケーブルと接続し、太陽光パネルに対応した接続ボックスを幹線ケーブルから分岐した分岐線ケーブルと接続しているので、ケーブル数が少なくなるとともに集電ボックスが不要になるので、パワーコンディショナの入力端子数を上回る太陽光パネルを接続可能としつつ、コストの上昇を抑制することが可能になる。
【図面の簡単な説明】
【００２２】
【図１】本発明の一実施の形態に係る太陽光発電システムを示す概念図である。
【図２】図１の太陽光発電システムにおける接続ボックス、幹線ケーブルおよび分岐線ケーブルの部分を拡大して示す説明図である。
【図３】図２のＡ部を拡大して示す断面図である。
【図４】本発明の一実施の形態に係る太陽光発電システムに用いられたパネル接続ケーブルを示す斜視図である。
【図５】図４のパネル接続ケーブルを示す正面図である。
【図６】本発明の一実施の形態に係る太陽光発電システムに用いられたパネル接続ケーブルの変形例を示す斜視図である。
【図７】比較例としての太陽光発電システムを示す概念図である。
【発明を実施するための形態】
【００２３】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２４】
図１は、本発明の一実施の形態に係る太陽光発電システム１０を示す概念図である。
【００２５】
図１に示す太陽光発電システム１０は、太陽光を太陽光パネル１１を用いて直接的に電力に変換する発電システムであり、太陽からの光エネルギーで電気（直流電力）を発生させる複数の太陽光パネル１１と、太陽光パネル１１が発電した直流電力を交流電力に変換する１台のパワーコンディショナ１２とを備えている。
【００２６】
なお、本実施の形態の太陽光発電システム１０は、出力が１メガワット（１,０００キロワット）程度以上の規模の発電システム、つまりメガソーラー発電システムとなっている。
【００２７】
太陽光パネル１１は、架台１１ａと、この架台１１ａ上に取り付けられたパネル本体１１ｂとで構成されており、例えば休耕田や耕作放棄地などに設置されている。但し、設置場所はこれらに限定されるものではなく、建造物の屋根や駐車場など、様々な場所が選定される。
【００２８】
架台１１ａは、例えば鋼材に溶融亜鉛メッキしたものからなり、棒状の鋼材を組み合わせることによって構成されている。また、パネル本体１１ｂは、光起電力効果を応用して電気を発生させる太陽電池をいくつも並べて相互接続してパネル状にしたものからなる。このパネル本体１１ｂは、架台１１ａにより水平面に対して約１０°〜３０°傾斜しており、日本のような北半球では南向きに設置されて（南半球では北向きに設置されて）、太陽から多くの光エネルギーを得ることができるよう配慮されている。
【００２９】
それぞれの太陽光パネル１１に対応して、接続ボックス１３が設けられている。接続ボックス１３は、太陽光パネル１１で発電した電気を集めてパワーコンディショナ１２に送り出すためのものである。
【００３０】
太陽光パネル１１とこの太陽光パネル１１に対応した接続ボックス１３とは、パネル接続ケーブル１４により電気的に接続されている。ここで、太陽光パネル１１を構成する太陽電池の総数がＭ枚で、太陽電池Ｎ枚を一組として回路を組んだ場合、（Ｍ／Ｎ）セットそれぞれから電気配線される。
【００３１】
したがって、太陽光パネル１１のプラス電極の出力端子と接続ボックス１３のプラス電極の入力端子とを電気的に接続する（Ｍ／Ｎ）本のプラス極側パネル接続ケーブル１４ａと、太陽光パネル１１のマイナス電極の出力端子と接続ボックス１３のマイナス電極の入力端子とを電気的に接続する（Ｍ／Ｎ）本のマイナス極側パネル接続ケーブル１４ｂの、合わせて（（Ｍ／Ｎ）×２）本のパネル接続ケーブル１４により電気的に接続されている。
【００３２】
前述したパワーコンディショナ１２には、幹線ケーブル１５の一方端が電気的に接続されている。この幹線ケーブル１５は、パワーコンディショナ１２のプラス電極の入力端子と接続されてプラス極性の電流が流れるプラス極側幹線ケーブル１５ａと、パワーコンディショナ１２のマイナス電極の入力端子と接続されてマイナス極性の電流が流れるマイナス極側幹線ケーブル１５ｂの、合わせて２本で構成されている。
【００３３】
したがって、本実施の形態では、パワーコンディショナ１２の入力端子は、プラス電極の入力端子およびマイナス電極の入力端子がそれぞれ１つずつという、最小限の端子数となっている。但し、パワーコンディショナ１２の端子数はこれに限定されるものではない。
【００３４】
なお、幹線ケーブル１５の他端あるいは中間部に、当該幹線ケーブル１５を把持するケーブルグリップ（図示せず）などの把持手段を取り付け、このケーブルグリップを造営材に取り付けられたフックなどの支持手段に支持するようにしてもよい。
【００３５】
図２に示すように、幹線ケーブル１５からは分岐線ケーブル１６が分岐して設けられている。この分岐線ケーブル１６は、それぞれの接続ボックス１３に対応して設けられて接続ボックス１３と接続されており、幹線ケーブル１５と協働して接続ボックス１３とパワーコンディショナ１２とを電気的に接続している。
【００３６】
分岐線ケーブル１６は、プラス極側幹線ケーブル１５ａから分岐して接続ボックス１３のプラス電極の入力端子と接続されてプラス極性の電流が流れるプラス極側分岐線ケーブル１６ａと、マイナス極側幹線ケーブル１５ｂから分岐して接続ボックス１３のマイナス電極の入力端子と接続されてプラス極性の電流が流れるマイナス極側分岐線ケーブル１６ｂで構成されている。
【００３７】
図３に示すように、分岐線ケーブル１６は、当該分岐線ケーブル１６の心線１６−１の端部が分岐スリーブ１７を介して幹線ケーブル１５の心線１５−１と接続されており、分岐スリーブ１７が位置する分岐部は、絶縁処理および防水処理を施すため樹脂モールド１８を採用している。
【００３８】
なお、本実施の形態においては、パネル接続ケーブル１４と太陽光パネル１１および接続ボックス１３との接続、幹線ケーブル１５とパワーコンディショナ１２との接続、分岐線ケーブル１６と接続ボックス１３との接続は、何れもコネクタを用いたワンタッチ接続となっている。但し、コネクタを用いずに電極（プラス電極・マイナス電極）に直接接続してもよい。
【００３９】
図４に示すように、パネル接続ケーブル１４を構成するプラス極側パネル接続ケーブル１４ａとマイナス極側パネル接続ケーブル１４ｂとが、相互に撚り合わされている。また、図５に示すように、パネル接続ケーブル１４は、中心に位置する心線１４−１と、心線１４−１を包囲する絶縁体１４−２と、絶縁体１４−２を包囲するケーブルシース１４−３とが同軸上となった構造となって、ケーブルシース１４−３が絶縁体１４−２を介して心線１４−１を被覆している。ここで、心線１４−１は、１本の導体からなる単線でもよく、複数の細い導体をまとめて被覆した撚線でもよい。
【００４０】
そして、図４に示すように、プラス極側パネル接続ケーブル１４ａにはプラス極を示す例えば赤色のストライプ１４ａ−１（識別標識）が、マイナス極側パネル接続ケーブル１４ｂにはマイナス極を示す例えば白色のストライプ１４ｂ−１（識別標識）が、それぞれのケーブルシース１４−３の長さ方向に沿って形成されている。
【００４１】
なお、パネル接続ケーブル１４ａ，１４ｂのそれぞれの極性が識別可能な識別標識としてはストライプに限定されるものではなく、例えば「＋」「−」の記号を印刷したり、相互に異なる形状のエンボス加工を施したり、ケーブルそのものの色を違えたりなど、様々な識別標識を採用することができる。また、識別標識としてストライプを適用した場合、その色は本実施の形態に示す赤および白に限定されるものではなく、様々な色を採用することができる。
【００４２】
ここで、パネル接続ケーブル１４では、１回路の接続のために、プラス極側パネル接続ケーブル１４ａとマイナス極側パネル接続ケーブル１４ｂという２条のケーブルを使用している。したがって、これらプラス極側とマイナス極側のパネル接続ケーブル１４ａ，１４ｂとが相互に分離して別々に取り扱い可能な形態、つまり単心ケーブルとなっている場合には、太陽光パネル１１および接続ボックス１３とを電気的に接続する際に、切断・束巻き等を２回行う必要がある。また、配線工事も１条ずつ２回行う必要があり、誤配線を引き起こす可能性がある。
【００４３】
しかしながら、本実施の形態では、前述のように、プラス極側パネル接続ケーブル１４ａとマイナス極側パネル接続ケーブル１４ｂとが予め撚り合わされているので、２条のパネル接続ケーブル１４ａ，１４ｂを同時に切断できることになり、切断作業が１回で完了する。また、このようにプラス極側パネル接続ケーブル１４ａとマイナス極側パネル接続ケーブル１４ｂとが予め撚り合わされているので、配線工事も１回で完了する。
【００４４】
そして、太陽光発電システム１０の設置に際しては、このような切断作業および配線工事作業を多数回行うことになるので、パネル接続ケーブルを単心ケーブル２条で構成した場合に比べて、切断時間および配線工事時間が大幅に短縮される。なお、パネル接続ケーブル１４の端部を単心ケーブルとしたい場合は、撚りを解けば単心ケーブル２条として使用することができる。
【００４５】
また、プラス極側パネル接続ケーブル１４ａとマイナス極側パネル接続ケーブル１４ｂにはそれぞれの極性を示す識別標識としてのストライプ１４ａ−１，１４ｂ−１が形成されているので、誤配線が防止される。
【００４６】
ここで、パネル接続ケーブル１４がプラス極側パネル接続ケーブル１４ａとマイナス極側パネル接続ケーブル１４ｂで構成されて極性が区別されるのみならず、前述のように、幹線ケーブル１５がプラス極側幹線ケーブル１５ａとマイナス極側幹線ケーブル１５ｂで構成されて極性が区別され、分岐線ケーブル１６がプラス極側分岐線ケーブル１６ａとマイナス極側幹線ケーブル１５ｂで構成されて極性が区別されるので、これらのケーブル１５ａ，１５ｂ，１６ａ，１６ｂについてもそれぞれの極性が識別可能な識別標識を設けるのがよい。識別標識としては、例えば本実施の形態のパネル接続ケーブル１４のように極性別に色分けされたストライプがあるが、それ以外の様々な識別標識を適用することができる。
【００４７】
但し、識別標識は、パネル接続ケーブル１４、幹線ケーブル１５、分岐線ケーブル１６の全てに採用してもよいが、一部のケーブルだけに採用してもよく、あるいは全てに採用しなくてもよい。
【００４８】
なお、パネル接続ケーブル１４は、図６に示すように、プラス極側パネル接続ケーブル１４ａとマイナス極側パネル接続ケーブル１４ｂとは、相互に接合されているケーブルでもよい。すなわち、プラス極側パネル接続ケーブル１４ａのケーブルシース１４−３とマイナス極側パネル接続ケーブル１４ｂのケーブルシース１４−３とが接合されたペアケーブルでもよい。
【００４９】
このようなペアケーブルでも、切断時間および配線工事時間が大幅に短縮されるとともに、誤配線が防止される。また、接合部分を引き裂けば単心ケーブル２条として使用することができる。
【００５０】
以上説明したように、本実施の形態の太陽光発電システム１０によれば、太陽光パネル１１が発電した直流電力を交流電力に変換するパワーコンディショナ１２を幹線ケーブル１５と接続し、太陽光パネル１１に対応して設けられた複数の接続ボックス１３を当該幹線ケーブル１５から分岐して接続ボックス１３に対応して設けられた分岐線ケーブル１６と接続しているので、図７に示すような集電ボックス１１７を用いた接続に比較して、接続ボックス１３からパワーコンディショナ１２に至る経路のケーブル数が少なくなる。
【００５１】
よって、ケーブルの取付工数が少なくなって太陽光発電システム１０の設置工期が短くなる。しかも、幹線ケーブル１５は、最少では１組のプラス極側幹線ケーブル１５ａとマイナス極側幹線ケーブル１５ｂで足りるので、パワーコンディショナ１２の入力端子数は少なくとも１組のプラス極端子とマイナス極端子があればよい。
【００５２】
したがって、パワーコンディショナ１２の入力端子数を上回る太陽光パネル１１を接続可能としつつ、設置工期の短縮化を図ることが可能になる。
【００５３】
また、本実施の形態の太陽光発電システム１０によれば、このようにケーブル数が少なくなることに加えて、図７に示すような集電ボックス１１７は不要になる。
【００５４】
したがって、パワーコンディショナ１２の入力端子数を上回る太陽光パネル１１を接続可能としつつ、コストの上昇を抑制することが可能になる。
【００５５】
なお、このような太陽光発電システム１０は，次のようなプロセスにより設置することができる。
【００５６】
すなわち、複数の太陽光パネル１１、各太陽光パネル１１に対応した接続ボックス１３、およびパワーコンディショナ１２を現場に設置する。また、パネル接続ケーブル１４を、設置された現場の寸法に合わせた長さに切断、加工（端子およびコネクタの装着）して予め用意しておく。さらに、幹線ケーブル１５および幹線ケーブル１５から分岐した分岐線ケーブル１６を、設置された現場の寸法に合わせた長さに切断、加工（端子およびコネクタの装着）して予め用意しておく。
【００５７】
そして、太陽光パネル１１、接続ボックス１３およびパワーコンディショナ１２の設置された現場において、パネル接続ケーブル１４、幹線ケーブル１５および分岐線ケーブル１６を取り付けて、設置作業を終了する。
【００５８】
このように、パネル接続ケーブル１４、幹線ケーブル１５および分岐線ケーブル１６を、太陽光パネル１１、接続ボックス１３およびパワーコンディショナ１２の設置された現場の寸法に合わせた長さにして用意しておき、これを現場で取り付けるようにすれば、各ケーブル１４，１５，１６を現場で切断、加工する場合に比べて、作業が効率化して設置工期の短縮化を図ることが可能になる。
【００５９】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【００６０】
たとえば、本実施の形態では、全ての接続ボックス１３が分岐線ケーブル１６と接続されているが、何れか一つの接続ボックス１３については幹線ケーブル１５のパワーコンディショナ１２と接続されていない方の端部と接続され、それ以外の接続ボックス１３は分岐線ケーブル１６と接続されるようにしてもよい。
【産業上の利用可能性】
【００６１】
以上の説明では、本発明の太陽光発電システムをメガソーラー発電システムに適用した場合が示されているが、本発明の太陽光発電システムは、メガソーラー発電システム以外の発電システムにも適用されるものであり、よって出力はメガソーラー発電システムのレベルに限定されるものではない。
【符号の説明】
【００６２】
１０  太陽光発電システム
１１  太陽光パネル
１１ａ  架台
１１ｂ  パネル本体
１２  パワーコンディショナ
１３  接続ボックス
１４  パネル接続ケーブル
１４ａ  プラス極側パネル接続ケーブル
１４ａ−１  ストライプ
１４ｂ  マイナス極側パネル接続ケーブル
１４ｂ−１  ストライプ
１４−１  心線
１４−２  絶縁体
１４−３  ケーブルシース
１５  幹線ケーブル
１５ａ  プラス極側幹線ケーブル
１５ｂ  マイナス極側幹線ケーブル
１５−１  心線
１６  分岐線ケーブル
１６ａ  プラス極側分岐線ケーブル
１６ｂ  マイナス極側分岐線ケーブル
１６−１  心線
１７  分岐スリーブ
１８  樹脂モールド
１１０  太陽光発電システム
１１１  太陽光パネル
１１２  パワーコンディショナ
１１３  接続ボックス
１１７  集電ボックス
１１８  接続ケーブル
１１９  接続ケーブル
【図１】
2014050227.tif 000003
【図２】
2014050227.tif 000004
【図３】
2014050227.tif 000005
【図４】
2014050227.tif 000006
【図５】
2014050227.tif 000007
【図６】
2014050227.tif 000008
【図７】
2014050227.tif 000009